(57)【特許請求の範囲】
【請求項１】
投影機にて投射される映像を映し出す表面が平坦な平板状のスクリーンと、上記スクリーンを駆動する駆動体と、を有し、上記スクリーンから音を放出するスクリーンスピーカシステムにおいて、
上記スクリーンの裏面に当該スクリーンを補強する補強部材が接着により装着され、
上記補強部材は、断面がＶ字状または円弧状を有し、上記Ｖ字状または上記円弧状の両端部から上記スクリーンに固定するための部分となる貼り代部が延出されている、
ことを特徴とするスクリーンスピーカシステム。
【請求項２】
前記補強部材は、前記スクリーンと同一の材質から成ることを特徴とする請求項１記載のスクリーンスピーカシステム。
【請求項３】
前記補強部材は金属からなることを特徴とする請求項１または２記載のスクリーンスピーカシステム。
【請求項４】
前記金属は、アルミニウムまたはアルミニウム合金であることを特徴とする請求項３記載のスクリーンスピーカシステム。
【請求項５】
前記補強部材において前記Ｖ字状を形成する２つの脚部の間の角度は９０度であることを特徴とする請求項１から４のいずれか１項記載のスクリーンスピーカシステム。
【請求項６】
前記補強部材の厚さは、前記スクリーンの厚さの１/３以上３/２以下の範囲であることを特徴とする請求項１から５のいずれか１項記載のスクリーンスピーカシステム。
【請求項７】
前記スクリーンの裏面に装着した状態における前記補強部材の前記スクリーン裏面からの高さ寸法は、前記補強部材または前記スクリーンが有する厚さの３倍以上１５倍以下の範囲の値であることを特徴とする請求項１から６のいずれか１項記載のスクリーンスピーカシステム。
【請求項８】
前記貼り代部の幅寸法は、前記Ｖ字状または前記円弧状の両開口端内側を結んだ長さの１/６以上１倍以下の範囲の値であることを特徴とする請求項１から７のいずれか１項記載のスクリーンスピーカシステム。
【請求項９】
前記補強部材は、前記スクリーンの裏面に２液混合型のアクリル系接着剤を用いて装着されていることを特徴とする請求項１から８のいずれか１項記載のスクリーンスピーカシステム。
【発明の詳細な説明】
【技術分野】
【０００１】
本発明は、外部から投射された映像を映し出すスクリーンから音を放出するスクリーンスピーカシステムに関する。
【背景技術】
【０００２】
従来から、スクリーンの中央に配置されるボイスコイルにセンタースピーカ用の信号を送り、その左右に配置されるボイスコイルに左右チャンネル用の信号を送り、スクリーンの前方より音を放出させる直接駆動型スクリーンスピーカシステムが存在する。このようなタイプのスクリーンスピーカシステムとしては、例えば、特許文献１に開示されているものが知られている。
【０００３】
【特許文献１】特開２００５−６４９３２号公報（図２１〜図２３）
【発明の開示】
【発明が解決しようとする課題】
【０００４】
特許文献１記載のスクリーンスピーカシステムに採用されている振動板（スクリーン）は、一般のコーン形状を有する振動板と異なり、平板状を有している。そのため、コーン形状を有する振動板と比較して定在波が発生しやすい。この定在波の発生は、スクリーンスピーカシステムの音質に悪影響を及ぼす。
【０００５】
かかる定在波の発生を防止するため、特許文献１記載のスクリーンスピーカシステムでは、振動板と筐体との間にクッション等からなる支持体を配置させている。
【０００６】
しかしながら、支持体を目的に応じて装着するためには、少なくとも振動板側と筐体側に支持体を固定または保持するための箇所を設けなければならない。そのため、支持体を配置する前提で筐体等の設計を行わなければならず、結果的に、スクリーンスピーカシステムを設計する上で制約を受けることとなる。
【０００７】
本発明は上記の事情にもとづきなされたもので、その目的とするところは、設計上の制約を受けることなく、簡易な手段で、音質を向上させることが可能なスクリーンスピーカシステムを提供しようとするものである。
【課題を解決するための手段】
【０００８】
上記課題を解決するために、本発明は、投影機にて投射される映像を映し出す表面が平坦な平板状のスクリーンと、スクリーンを駆動する駆動体と、を有し、スクリーンから音を放出するスクリーンスピーカシステムにおいて、スクリーンの裏面に当該スクリーンを補強する補強部材が接着により装着され、補強部材は、断面がＶ字状または円弧状を有し、Ｖ字状または円弧状の両端部からスクリーンに固定するための部分となる貼り代部が延出されているものである。
【０００９】
また、他の発明は、上述の発明に加えて更に、補強部材は、スクリーンと同一の材質から成るものである。
【００１０】
また、他の発明は、上述の発明に加えて更に、補強部材は金属からなるものである。
【００１１】
さらに、他の発明は、上述の発明に加えて更に、金属をアルミニウムまたはアルミニウム合金とした。
【００１２】
さらに、他の発明は、上述の発明に加えて更に、補強部材の断面は、Ｖ字状または円弧状を有しており、当該Ｖ字状または円弧状の両端部からは、スクリーンに固定するための部分となる貼り代部が延出しているものである。
【００１３】
また、他の発明は、上述の発明に加えて更に、補強部材においてＶ字状を形成する２つの脚部の間の角度を９０度とした。
【００１４】
また、他の発明は、上述の発明に加えて更に、補強部材の厚さを、スクリーンの厚さの１/３以上３/２以下の範囲とした。
【００１５】
さらに、他の発明は、上述の発明に加えて更に、スクリーンの裏面に装着した状態における補強部材のスクリーン裏面からの高さ寸法を、補強部材またはスクリーンの厚さの３倍以上１５倍以下の範囲の値とした。
【００１６】
さらに、他の発明は、上述の発明に加えて更に、貼り代部の幅寸法を、Ｖ字状または円弧状の両開口端内側を結んだ長さの１/６以上１倍以下の範囲の値とした。
【００１７】
また、他の発明は、上述の発明に加えて更に、補強部材は、スクリーンの裏面に２液混合型のアクリル系接着剤を用いて装着されているものである。
【発明の効果】
【００１８】
本発明によると、設計上の制約を受けることなく、簡易な手段で、スクリーンスピーカシステムの音質を向上させることができる。
【発明を実施するための最良の形態】
【００１９】
以下、本発明の一実施の形態に係るスクリーンスピーカシステムについて、図面を参照しながら説明する。
【００２０】
図１は、スクリーンスピーカ１１を示す斜視図であり、図２は、支持体２０の構成を示す斜視図である。図３は、スクリーンスピーカ１１に使用される支持体２０を構成する外周枠２１を示す斜視図である。図４は、スクリーンスピーカ１１に使用される外周枠２１の角部Ｐを示す図で、（Ａ）は、２つの杆体２１Ｌ，２１ＳをＬ金具２３により固定する構成を示す組立図であり、（Ｂ）は、２つの杆体２１Ｌ，２１ＳをＬ金具２３により固定した構成を示す部分断面図である。なお、以下の説明では、図１〜図３および図５〜図８において、左側とは矢示Ｘ１方向を指し、右側とは矢示Ｘ２方向を指すものとする。また、上方とは矢示Ｙ１方向を指し、下方とは矢示Ｙ２方向を指すものとする。また、本実施の形態では、スクリーン１２を駆動させるための駆動体の一例としては、磁気回路（不図示）とボイスコイル（不図示）とを有する駆動体（図示省略）が採用されており、また、ハウジングとしては磁気回路（不図示）を保持するための磁気回路ハウジングＨが採用されている。なお、駆動体としては、圧電素子等の他の部材を採用しても良いし、ボイスコイルと圧電素子等を併用しても良い。
【００２１】
スクリーンスピーカ１１は、スクリーンスピーカシステムの一部を構成する直接駆動型のスクリーンスピーカであり、図１に示すように、表面側に装着され、外部からの映像を映し出すスクリーン１２と、スクリーン１２の背面側に配置され、該スクリーン１２を保持する筐体１４と、スクリーン１２を振動させる駆動体（不図示）と、から主に構成されている。また、筐体１４は、支持体２０と、支持体２０の背面側に装着される不図示の裏板と、から主に構成されている。
【００２２】
スクリーンスピーカ１１の外形寸法は、幅（左右方向の長さ）が１６８０ｍｍ、高さ（上下方向の長さ）が８９５ｍｍ、厚さが（裏板（不図示）の厚さ含む）３６ｍｍである。この実施の形態では、縦横比が９：１６に構成される、いわゆる７５インチのスクリーンサイズのものを一例として示している。スクリーン１２の厚さは０．８ｍｍである。なお、スクリーン１２の厚さは０．８ｍｍに限定されるものではない。
【００２３】
図２では、紙面表側がスクリーンスピーカ１１の背面側になり、紙面裏側がスクリーンスピーカ１１の表面側になるように示されている。支持体２０は、枠組み構造になっていて、外周枠２１、内側枠２２、および保持体２４から構成されている。外周枠２１は、長方形を呈し、スクリーンスピーカ１１の外形寸法に合わせて、外側の寸法が、左右方向の長さが１６８０mm、上下方向の長さが８９５mmとなっている。
【００２４】
この外周枠２１は、左右方向に配置され、外周枠２１の上下の枠を構成する２本の杆体２１Ｌと、縦方向に配置され、左右の枠を構成する２本の杆体２１Ｓを有している。外周枠２１は、枠の４つの角において、Ｌ金具２３を介して杆体２１Ｓと杆体２１Ｌを互いに固定した構造を有している。
【００２５】
具体的には、杆体２１Ｌ，２１Ｓの端部は、端部を互いに合わせたときに、杆体２１Ｌ，２１Ｓが互いに直角となるように接合されている。図４に示すように、杆体２１Ｌ，２１Ｓの端部は、外枠体２１が長方形を呈するように、底板部２１Ｌｂ，２１Ｓｂの側から開口部の側に向かって４５度斜めに形成されている。杆体２１Ｌと杆体２１Ｓは、４５度斜めに形成された端部同士を合わせ、直角に接合した状態で、杆体２１Ｌ，２１Ｓの内側、すなわち溝側から杆体２１Ｌと杆体２１Ｓが接合する角部ＰにＬ金具２３を配置させ、このＬ金具２３により杆体２１Ｌと杆体２１Ｓを互いに固定する。Ｌ金具２３と杆体２１Ｌ，２１Ｓとは、ねじＳによって固定される。
【００２６】
杆体２１Ｌ，２１Ｓは、アルミニウム製であり、その断面の形状は、図４に示すように、略コ字型になっている。つまり、杆体２１Ｌは、底板部２１Ｌｂとこの底板部２１Ｌｂの両側に側板部２１Ｌｓを有し、底板部２１Ｌｂと対向する側を開口した溝型の部材である。また、杆体２１Ｓも、底板部２１Ｓｂとこの底板部２１Ｓｂの両側に側板部２１Ｓｓを有し、底板部２１Ｓｂと対向する側を開口した溝型の部材である。杆体２１Ｌ，２１Ｓは、底板部２１Ｌｂ，２１Ｓｂを外周側に配置し、開口部の側を枠の内側に向けて配設されている。杆体２１Ｌ，２１Ｓは、底板部２１Ｌｂ，２１Ｓｂの外側の幅Ｗｂが３０mm、側板部２１Ｌｓ，２１Ｓｓの外側の幅Ｗｓが２５mmに形成されている。また、底板部２１Ｌｂ，２１Ｓｂおよび側板部２１Ｌｓ，２１Ｓｓを構成する板体の厚さは３mmである。スクリーン１２の厚さが０．８ｍｍであるため、底板部２１Ｌｂ，２１Ｓｂおよび側板部２１Ｌｓ，２１Ｓｓの板厚は、スクリーン１２の厚さの３．７５倍に形成されている。なお、杆体２１Ｌ，２１Ｓは、押し出し成型により形成されている。外周枠２１を構成する杆体２１Ｌ，２１Ｓを、断面形状を略コ字型とし、加えて、板厚をスクリーン１２の厚さの３倍以上１０倍以下（本実施の形態では３．７５倍）とすることにより、音質に影響を与えることなく支持体２０の強度を確保することができる。
【００２７】
また、杆体２１Ｌ，２１Ｓには、それぞれ、ねじＳを通すねじ挿通孔２１Ｌｈ，２１Ｓｈが２つずつ形成されている。２つのねじ挿通孔２１Ｌｈの間には、孔２１Ｌｈ’が形成されている。また、２つのねじ挿通孔２１Ｓｈの間には、孔２１Ｓｈ’が形成されている。
【００２８】
一方、Ｌ金具２３は、一方の辺部２３Ａには、ねじＳが螺合することなく挿通するように２つのねじ挿通孔２３ｈが形成されている。２つのねじ挿通孔２３ｈの間には孔２３ｈ’が形成されている。また、Ｌ金具２３の他方の辺部２３Ｂには、ねじＳが螺合する２つのねじ孔２３ｈｍが形成されている。また、２つのねじ孔２３ｈｍの間には孔２３ｈ’が形成されている。
【００２９】
Ｌ金具２３の一方の辺部２３Ａの２つのねじ挿通孔２３ｈとその間の孔２３ｈ’、および、他方の辺部２３Ｂの２のねじ孔２３ｈｍとその間の孔２３ｈ’は、それぞれ次のような位置に形成される。すなわち、Ｌ金具２３をＬ字の外側を杆体２１Ｌと杆体２１Ｓが交差する直角部の側に向け、辺部２３Ａを杆体２１Ｌに沿わせるとともに辺部２３Ｂを杆体２１Ｓに沿わせた状態では、杆体２１Ｌ側のねじ挿通孔２１Ｌｈに対向する位置にねじ挿通孔２３ｈが位置し、さらに、孔２１Ｌｈ’に対向する位置に孔２３ｈ’が位置するように形成される。また、杆体２１Ｓ側のねじ挿通孔２１Ｓｈに対向する位置にねじ孔２３ｈｍが位置し、さらに、孔２１Ｓｈ’に対向する位置に孔２３ｈ’が位置するように形成される。
【００３０】
そして、杆体２１ＳとＬ金具２３とは、ねじＳがねじ孔２３ｈｍに螺合することにより、互いに固定される。また、杆体２１ＬとＬ金具２３とは、ねじ挿通孔２１Ｌｈとねじ挿通孔２３ｈに通されたねじＳの先端側にナットＮを螺合して互いに固定される。
【００３１】
このように、外周枠２１は、杆体２１Ｌと杆体２１Ｓが、Ｌ金具２３により互いに固定されることにより枠体として構成されている（図４（Ｂ）参照）。
【００３２】
図５は、スクリーンスピーカ１１に使用される支持体２０を構成する外周枠２１と内側枠２２を示す斜視図である。
【００３３】
図５に示すように、外枠体２１には、左右方向に３等分する位置に、内側枠２２が、上下の杆体２１Ｌに掛け渡され、Ｌ金具２３により杆体２１Ｌと内側枠２２が互いに固定されている。この内側枠２２は、２本の杆体２２Ａから構成されている。杆体２２Ａは、アルミニウム材を押し出し成型することにより製造され、その断面を略コ字型としている。
【００３４】
内側枠２２は、Ｌ金具２３を介して杆体２１Ｌに固定されている。具体的には、図５に示すように、内側枠２２の左右両側にＬ金具２３を配置させる。そして、杆体２１Ｌの側から杆体２１Ｌに形成されているねじ挿通孔２１ＬｋにねじＳを挿通させ、挿通されたねじＳにナットＮを螺合する。これにより、Ｌ金具２３は杆体２１Ｌに対して固定される。さらに、ねじＳｒ１を、内側枠２２の左側に配置されているＬ金具２３のねじ挿通孔２３ｒおよび内側枠２２に形成されているねじ挿通孔２２ｓに挿通させる。そして、ねじＳｒ１を内側枠２２の右側に配置されているＬ金具２３のねじ孔２３ｔに螺合させる。これにより、内側枠２２の左右両側にＬ金具２３が固定される。その結果、内側枠２２は、Ｌ金具２３を介して杆体２１Ｌに固定されることとなる。
【００３５】
このように、内側枠２２を、外枠体２１の杆体２１Ｌに掛け渡し固定することにより、外枠体２１が補強され、剛性が高まる。また、スクリーンスピーカ１１の、センター、左、右の各出力チャンネルを構成するキャビティ用の仕切りとしても機能する。つまり、セシターチャンネル、左チャンネル、及び右チャンネルが、各々独立したキャビティを構成することができる。また、キャビティを構成する仕切りである内側枠２２は、２つの杆体２２Ａが背中合わせに重ねられている。このため、内側枠２２は、２重の仕切りとなっている。したがって、キャビティ間での音の混和を低減することができる。
【００３６】
図６は、磁気回路ハウジングＨを保持枠２４の中央部に保持した状態を示す斜視図である。
【００３７】
磁気回路ハウジングＨは、図６に示すように、平面視において略正方形をした直方体を呈している。また、保持枠２４は、図６に示すように、左右方向に並設される２本の杆体２５と、この２本の杆体２５の両側に上下に２本ずつ平行に並設される合計４本の杆体２６とが井桁状に組み合わされて構成されている。
【００３８】
杆体２５は、平板部２５Ａと、この平板部２５Ａの中心に沿って直角に設けられる垂板部２５Ｂと、を有している。つまり、杆体２５は、その断面が略Ｔ字状に構成されている。杆体２５は、磁気回路ハウジングＨの左右にそれぞれ備えられている。
【００３９】
磁気回路ハウジングＨの左右の側面には、それぞれ２箇所にねじＳが螺合するねじ孔（不図示）が設けられている。また、磁気回路ハウジングＨの左右に配置される杆体２５の垂板部２５Ｂには、磁気回路ハウジングＨに形成されたねじ孔（不図示）に対応した位置にねじＳが挿通するための、ねじ挿通孔（不図示）が形成されている。そして、ねじＳをねじ挿通孔（不図示）に通して、磁気回路ハウジングＨのねじ孔（不図示）に螺合することにより、杆体２５を磁気回路ハウジングＨに対して固定できる。磁気回路ハウジングＨの左右の側面と垂板部２５Ｂは互いに平面となっているため、磁気回路ハウジングＨは、その左右の側面が垂板部２５Ｂに密着した状態で固定されることになる。
【００４０】
杆体２５は、アルミニウム材からなる押し出し成型により製造されている。平板部２５Ａの幅は２３ｍｍに、垂板部２５Ｂの幅は２５ｍｍに形成されている。また、杆体２１Ｌ，２１Ｓのそれぞれの厚さは３ｍｍである。つまり、平板部２５Ａの幅は、杆体２１Ｌ，２１Ｓの厚さの約７．６倍となっており、また、垂板部２５Ｂの幅は、杆体２１Ｌ，２１Ｓの厚さの約８．３倍になっている。さらに、平板部２５Ａと垂板部２５Ｂの厚さは杆体２１Ｌ，２１Ｓと同じ３ｍｍとなっている。また、平板部２５Ａの長さは、上下の杆体２１Ｌに掛け渡せるように８８．８ｍｍとなっている。平板部２５Ａ，垂板部２５Ｂの厚さを外周枠２１を構成する杆体２１Ｌ，２１Ｓの板厚と同等以上４倍以下（本実施の形態では同じ）とし、また、平板部２５Ａ，垂板部２５Ｂの幅を、杆体２１Ｌ，２１Ｓの板厚の５倍以上、２０倍以下（本実施の形態では、平板部２５Ａについては約７．６倍、垂板部２５Ｂについては約８．３倍）とすることにより、スクリーンスピーカ１１の軽量化を図るとともに支持体２０の剛性を確保することができる。
【００４１】
上述したように、磁気回路ハウジングＨを内側に保持する２本の杆体２５の左右には、上下に２本ずつ杆体２６が設けられる。この杆体２６も、杆体２５と同様に断面が略Ｔ字状に構成され、平板部２６Ａとこの平板部２６Ａの中心に沿って直角に設けられる垂板部２６Ｂとを有している。また、各杆体２６は、図６に示すように、杆体２５の垂板部２５Ｂを挟んで配置される合計８つのＬ金具２７により杆体２５および磁気回路ハウジングＨに固定されている。
【００４２】
以上のように、磁気回路ハウジングＨは、杆体２５と杆体２６により井桁状に組まれた保持枠２４の中央部に保持されることになる。なお、上述したように、磁気回路ハウジングＨの左右の面が杆体２５の垂板部２５Ｂに密着した状態で固定されることにより、磁気回路ハウジングＨの保持枠２４に対する保持が確実になる。このため、異常な振動を防止でき、音質の向上が図れる。また、大入力時における磁気回路からの熱を杆体２５側に逃がす放熱効果の向上を図ることができる。
【００４３】
磁気回路ハウジングＨを保持する保持枠２４は、図２に示すように、内側枠２２によって区切られる３つのキャビティにそれぞれ配設され、Ｌ金具２３により支持体２０に対して固定される。つまり、各保持枠２４の杆体２５は、上下の杆体２１ＬにＬ金具２３によりねじを用いて固定される。具体的には、左右のキャビティに配設される各保持枠２４を構成する左右の杆体２６のうちの一方の杆体２６は、杆体２１Ｓに、他方の杆体２６は内側枠２２に、Ｌ金具２３によりねじを用いて固定される。また、中央のキャビティに配設される保持枠２４を構成する杆体２６は、内側枠２２に対してＬ金具２３によりねじを用いて固定される。
【００４４】
各キャビティに磁気回路ハウジングＨおよび保持枠２４が配設された状態では、図２に示すように、各キャビティ内は、左上段に形成される左上領域２８ａ、中央上段に形成される中上領域２８ｂ、右上段に形成される右上領域２８ｃ、左中段に形成される左中領域２８ｄ、右中段に形成される右中領域２８ｅ、左下段に形成される左下領域２８ｆ、中央下段に形成される中下領域２８ｇおよび右下段に形成される右下領域２８ｈの８つの領域に主に分割される。
【００４５】
図７は、補強部材３０をスクリーン１２に装着する前の状態を示す斜視図である。図８は、補強部材３０が装着されたスクリーン１２を支持体２０に装着した状態を示す斜視図である。
【００４６】
図７に示すように、スクリーン１２の裏面には、合計１０２個の補強部材３０が、一定の配列で並べられた状態で装着される。
【００４７】
補強部材３０が装着されたスクリーン１２を支持体２０に装着した状態では、図８に示すように、左上領域２８ａ、右上領域２８ｃ、左下領域２８ｆおよび右下領域２８ｈの各領域には、それぞれ６個の補強部材３０が配置されることとなる。また、中上領域２８ｂおよび中下領域２８ｇの各領域には、それぞれ４個の補強部材３０が配置されることとなる。さらに、左中領域２８ｄおよび右中領域２８ｅの各領域には、それぞれ１個の補強部材３０が配置されることとなる。
【００４８】
具体的には、左上領域２８ａ、右上領域２８ｃ、左下領域２８ｆおよび右下領域２８ｈのそれぞれには、縦方向に２列に並ぶように、各列上下方向に渡って３つずつの補強部材３０が装着されている。そして、これらのうち、上方に装着されている２つの補強部材３０は、略Ｖ字状をなすように配置されており、その下に装着されている２つの補強部材３０は、互いが上下方向に向かって平行に配置されている。また、その下方に装着されている２つの補強部材３０は、略ハの字状となるように配置されている。中上領域２８ｂおよび中下領域２８ｇのそれぞれには、上下に２つずつの補強部材３０が装着されており、これらのうち上方に装着されている２つの補強部材３０は、略Ｖ字状となるように配置されており、その下方に装着されている２つの補強部材３０は、略ハの字状となるように配置されている。左中領域２８ｄおよび右中領域２８ｅのそれぞれには、左右方向に沿うように、それぞれ１つずつの補強部材３０が配置されている。
【００４９】
次に、補強部材３０の構成について説明する。図９は、補強部材３０の構成を示す図であり、（Ａ）は、その斜視図であり、（Ｂ）は、（Ａ）において矢示Ａ方向から見た側面図であり、（Ｃ）は、（Ｂ）において矢示Ｂ方向から見た正面図である。
【００５０】
補強部材３０は、図９（Ａ）〜（Ｃ）に示すように、縦方向の寸法８０ｍｍ、横方向の寸法３０．４ｍｍ、厚さ０．５ｍｍの略長方形の形状を有する平板を縦方向に向かう中心線Ｘに沿って、２つの脚部３０ａ，３０ｂの間の角度αが９０度となるように折り曲げ、かつ該脚部３０ａの左端部および脚部３０ｂの右端部のそれぞれを、縦方向に平行、かつ折り幅が５．２ｍｍとなるように折り曲げることで形成される。なお、脚部３０ａの左端部および脚部３０ｂの右端部は、脚部３０ａおよび脚部３０ｂのそれぞれに対する角度βが１３５度となるように折り曲げられている。そして、この折り曲げられた部分は、貼り代部３１ａ，３１ｂを形成している。なお、上記平板の縦方向と横方向の寸法は上記の値に限定するものではない。さらに、貼り代部３１ａ，３１ｂは、接着剤等によりスクリーン１２の裏面に固定するための部位である。補強部材３０を、スクリーン１２に装着した状態における補強部材３０のスクリーン１２からの高さＹの寸法は、約７．５ｍｍである。また、補強部材３０におけるＶ字状の開口端内側を結ぶ幅Ｚの寸法は、約１４．２ｍｍである。補強部材３０は、上記のような単純な形状を有しているため、プレス加工や単純な形状を有する金型によって形成することが可能である。
【００５１】
また、補強部材３０は、スクリーン１２と同一の材質であるアルミニウムから成っている。これは、補強部材３０をスクリーン１２と同一の熱膨張係数を有する材質から形成することによって、ボイスコイル（不図示）の発熱によりスクリーン１２と補強部材３０との装着部近傍が熱膨張により変形するのを防止するためである。なお、補強部材３０の材質は、アルミニウムに限定されることなく、アルミニウムと熱膨張係数が著しく異ならなければ、アルミニウム合金、ステンレスまたは銅等の他の金属であっても良い。補強部材３０のスクリーン１２への装着は、主剤と硬化剤の二液を用いた二液混合型のアクリル系接着剤をスクリーン１２と貼り代部３１ａ，３１ｂとの間に介在させ、両者を接着させることによって行われる。
【００５２】
次に、二液混合型アクリル系接着剤により補強部材３０をスクリーン１２に接着する方法について説明する。
【００５３】
まず、スクリーン１２の裏面において補強部材３０が装着される部位のうち、貼り代部３１ａ，３１ｂが接着される位置をマーキングする。そして、マーキングされた部分に二液混合型アクリル系接着剤のうちの主剤を塗布し、ヘラあるいは刷毛等を用いて塗布部を均一な状態とする。
【００５４】
次に、二液混合型アクリル系接着剤のうちの硬化剤を貼り代部３１ａ，３１ｂに塗布し、ヘラまたは刷毛を用いて塗布部を均一な状態とする。そして、スクリーン１２の裏面において主剤が塗布された部分に硬化剤が塗布された貼り代部３１ａ，３１ｂを重ね合わせて圧定する。この圧定時に接着の安定性を確保するために、補強部材３０をスクリーン１２と摺り合わせる、いわゆる摺り合わせ作業を行う。摺り合わせ作業は、補強部材３０を装着位置から、例えば、前後左右の任意の方向に約２ｍｍ〜３ｍｍ程度移動させて行う。
【００５５】
該摺り合わせ作業を行った後、補強部材３０は、接着剤の有する初期タック性により、ある程度の接着力を有した状態で装着位置に接着される。しかし、さらに、接着力を向上させるため、貼り代部３１ａ，３１ｂに所定の荷重を加える。例えば、所定重量の錘を補強部材３０の上に所定時間（例えば、接着剤硬化時間）載置することにより行われる。ここで使用する接着剤の組成物としては、アクリル酸もしくはメタクリル酸の誘導体からなる重合性成分を含有し、且つ、一方の組成物には、酸化性組成物、例えば、有機性過酸化物、他方の成分には、レドックス重合を誘起する還元性組成物を含有してなる常温硬化性アクリル系接着剤組成物が挙げられるが、これらに限定されるものではない。以上の過程を経て、補強部材３０は、スクリーン１２の裏面に強力な接着力を有した状態で装着される。
【００５６】
以上のようにして構成されたスクリーンスピーカシステムでは、スクリーン１２の裏面に補強部材３０を装着することによって、スクリーン１２に発生する定在波の振動モードの数を減少させることが可能となる。また、補強部材３０の装着形態を考慮すると、特に高音帯域においてスクリーン１２が有する固有の振動モードを減少させることが可能である。このため、スクリーン１２において高音帯域で共振が発生するのを防止できる。また、補強部材３０をスクリーン１２に装着することにより、スクリーン全体の重量が若干重くなるため、スクリーン１２における基本モードでの定在波を低周波とすることができる。したがって、スクリーン１２において音質に悪影響を及ぼす共振が発生するのを抑制することが可能となり、その結果、スクリーンスピーカ１１から放たれる音質を大幅に向上させることができる。
【００５７】
また、スクリーンスピーカシステムでは、補強部材３０は、スクリーン１２と同一の材質であるアルミニウムから成っている。そのため、ボイスコイル（不図示）等から発生する熱に起因してスクリーン１２が膨張した場合、スクリーン１２と補強部材３０との間に相互に張力が働くことを防止でき、両者が互いに変形し合うのを防止できる。また、補強部材３０は、軽金属であるアルミニウムから形成されているため、軽量でかつ大きな強度を有するものとなる。その結果、補強部材３０は、大入力の場合でもスクリーン１２の振動に耐えることが可能となる。
【００５８】
また、スクリーンスピーカシステムでは、補強部材３０はアルミニウムから形成されているため、熱伝導性が極めて高い。さらに、補強部材３０をスクリーン１２に装着することにより、キャビティ内の空間との接触面積が大きくなる。したがって、スクリーン１２の放熱性が向上し、その結果、スクリーン１２の耐久性が向上する。
【００５９】
また、スクリーンスピーカシステムでは、補強部材３０の断面形状はＶ字状をしており、その両端部には貼り代部３１ａ，３１ｂが設けられている。このように補強部材３０は、単純な形状を有しているため、例えば、シャーやベンダー等の機械により簡単に製造することができると共に、単純な金型によっても製造することが可能である。したがって、補強部材３０を大量生産することが可能となり、コストの低減を図ることができる。また、補強部材３０における脚部３０ａと脚部３０ｂとの間の角度が９０度であるため、予め加工された材料の入手が可能となり、さらに量産性が高いものとなる。
【００６０】
また、スクリーンスピーカシステムにおいて補強部材３０がスクリーン１２に装着された状態では、補強部材３０における脚部３０ａ，３０ｂとスクリーン１２との間には、補強部材３０の長手方向に沿った貫通孔が形成されている。したがって、スクリーン１２および補強部材３０が過熱された場合、その過熱された空気は、該貫通孔の開口部から外部へ流れ出る。したがって、補強部材３０とスクリーン１２との間の空間に加熱された空気が溜まることがなく、スクリーンスピーカ１１は高い放熱性を有することとなる。
【００６１】
また、スクリーンスピーカシステムでは、補強部材３０の厚さは、スクリーン１２の厚さの約０．６３倍であり、補強部材３０のスクリーン１２からの高さＹの寸法は、スクリーン１２の厚さの約９．４倍となっている。これらを考慮すると、補強部材３０は、軽量で、かつ高強度を有する。したがって、補強部材３０は、スクリーン１２の振動に対して十分に追従できる耐久性を有する。
【００６２】
また、スクリーンスピーカシステムでは、補強部材３０の貼り代部３１ａ，３１ｂの幅は、補強部材３０における幅Ｚの寸法の約０．３７倍である。したがって、補強部材３０に対して貼り代部３１ａ，３１ｂ幅は十分確保されている。このため、補強部材３０をスクリーン１２に強固に固定できる。その結果、大入力で、かつ長時間スクリーン１２を振動させた場合でも、補強部材３０は該振動に耐えることができ、スクリーンスピーカ１１に対する信頼性が向上する。
【００６３】
また、スクリーンスピーカシステムでは、補強部材３０は、主剤と硬化剤の二液による二液混合型のアクリル系接着剤を用いてスクリーン１２に装着されている。そのため、極めて高い接着力で補強部材３０をスクリーン１２に対して固定できる。したがって、大入力で長時間スクリーン１２を振動させても補強部材３０がスクリーン１２から剥離することがない。その結果、スクリーンスピーカ１１の品質および音質の向上に伴い、高い信頼性を得ることができる。また、補強部材３０を装着することによって、特に高音域におけるスクリーン１２の有する固有の振動モードを減少させることが可能となるため、高音帯域での音質の向上を図ることが可能である。また、補強部材３０のスクリーン１２に対する接着工程が単純であるため作業性の向上を図ることができる。
【００６４】
以上、本発明の一実施の形態について説明したが、本発明は上述の形態に限定されることなく、種々変形した形態にて実施可能である。
【００６５】
上述の実施の形態では、補強部材３０における脚部３０ａと脚部３０ｂとの間の角度αは９０度とされているが、これに限定されることなく、６０度あるいは１２０度等の他の角度としても良い。また、補強部材３０は、断面がＶ字状を有する脚部３０ａ，３０ｂと、貼り代部３１ａ，３１ｂと、から構成されているが、この構成に限定されることなく、例えば、脚部３０ａ，３０ｂに相当する部分を、図１０（Ａ）〜（Ｃ）に示すような断面が円弧状を有する円弧部３０ｃとしても良い。
【００６６】
また、上述の実施の形態では、補強部材３０の厚さは、０．５ｍｍとされているが、これに限定されることなく、スクリーン１２の有する厚さの１/３以上３/２以下の範囲としても良い。
【００６７】
また、上述の実施の形態では、補強部材３０のスクリーン１２からの高さＹの寸法は、約７．５ｍｍとされているが、この値に限定されることなく、スクリーン１２の有する厚さの３倍以上１５倍以下の範囲の値としても良い。また、補強部材３０におけるＶ字状の開口端を結ぶ幅Ｚの寸法は、約１４．２ｍｍとされているが、この値に限定されることなく、他の値としての良い。さらに、貼り代部３１ａ，３１ｂの幅の寸法は５．２ｍｍとされているが、これらの値に限定されることなく、補強部材３０におけるＶ字状の開口端を結ぶ幅Ｚの寸法、または、図１０に示す円弧状の開口端を結ぶ幅Ｗの寸法の１倍以上１/６以下の範囲の値としても良い。
【００６８】
また、上述の実施の形態では、補強部材３０のスクリーン１２への固定を、主剤と硬化剤の二液による二液混合型のアクリル系接着剤を用いて行っているが、これに限定されることなく、一種類の溶剤からなる接着剤を用いても良い。
【００６９】
また、上述の実施の形態では、図７に示すように、１０２個の補強部材３０を、所定の配列をもってスクリーン１２に装着しているが、これに限定されることなく、補強部材３０の配列を他の形態としたり、装着される補強部材３０の数を異なる数とするようにしても良い。
【００７０】
また、上述の実施の形態では、キャビティは、筐体１４の内部に３つ設けられているが、これに限定されず、２つ以下あるいは、４つ以上としても良い。また、保持体２４を井桁状に構成せず、他の形状となるように構成しても良い。
【産業上の利用可能性】
【００７１】
本発明のスクリーンスピーカシステムは、スクリーンの全面より音を放出するスピーカ等の音響変換装置において利用することができる。
【図面の簡単な説明】
【００７２】
【図１】本発明の一実施の形態に係るスクリーンスピーカを示す斜視図である。
【図２】図１のスクリーンスピーカに使用される支持体の構成を示す斜視図である。
【図３】図１のスクリーンスピーカに使用される支持体を構成する外周枠を示す斜視図である。
【図４】図１のスクリーンスピーカに使用される外周枠の角部を示す図で、（Ａ）は、２つの杆体をＬ金具により固定する構成を示す組立図であり、（Ｂ）は、２つの杆体をＬ金具により固定する構成を示す図３の部位Ａにおける断面図である。
【図５】図１のスクリーンスピーカに使用される支持体を構成する外周枠と内側枠を示す斜視図である。
【図６】図１のスクリーンスピーカに使用される支持体の構成を示す図で、保持枠の構成を示す斜視図である。
【図７】補強部材をスクリーンに装着する前の状態を示す斜視図である。
【図８】補強部材が装着されたスクリーンを支持体に装着した状態を示す斜視図である。
【図９】補強部材の構成を示す図であり、（Ａ）は、その斜視図であり、（Ｂ）は、（Ａ）において矢示Ａ方向から見た側面図であり、（Ｃ）は、（Ｂ）において矢示Ｂ方向から見た正面図である。
【図１０】補強部材の変形例を示す図であり、（Ａ）は、その斜視図であり、（Ｂ）は、（Ａ）において矢示Ｃ方向から見た側面図であり、（Ｃ）は、（Ｂ）において矢示Ｄ方向から見た正面図である。
【符号の説明】
【００７３】
１２…スクリーン
３０…補強部材
【図１】
0004788385.tif 000002
【図２】
0004788385.tif 000003
【図３】
0004788385.tif 000004
【図４】
0004788385.tif 000005
【図５】
0004788385.tif 000006
【図６】
0004788385.tif 000007
【図７】
0004788385.tif 000008
【図８】
0004788385.tif 000009
【図９】
0004788385.tif 000010
【図１０】
0004788385.tif 000011